(57)【要約】【課題】光ピックアップユニットを案内する主軸及び副軸を、トラバースシャーシにガタつきなく固定できる光ディスク装置を提供する。【解決手段】トラバースシャーシに主軸及び副軸を回転不自在に係止保持する係止保持部を夫々設け、各係止保持部は、主軸又は副軸の一端部を保持する第１の保持穴を有する第１の保持体と、主軸又は副軸の他端部を保持する第２の保持穴と主軸又は副軸の他端部の移動を規制する規制部とを有する第２の保持体とを備え、主軸が係止保持される第１の保持体はガラス繊維を含む樹脂で形成され、主軸は第１の保持穴に圧入されることにより、当該第１の保持穴の内面に保持され、当該第１の保持穴の内面には、前記主軸の、前記光ピックアップユニットを摺動可能に支持する側の外周領域との間に隙間を形成可能な凹部が形成されている。【選択図】図９Ｄ
2011170970.tif 000002
【特許請求の範囲】
【請求項１】
光ディスクに対して半径方向に移動可能に設けられ、前記光ディスクに書き込まれた情報の読み込み又は前記光ディスクに情報の書き込みを行う光ピックアップユニットと、
前記半径方向と平行に配設され、前記光ピックアップユニットに設けられたガイド穴を貫通して前記光ピックアップユニットを摺動可能に支持するとともに前記光ピックアップユニットの移動を案内する主軸と、
前記主軸と平行に配設され、前記主軸と協働して前記光ピックアップユニットを摺動可能に支持するとともに前記光ピックアップユニットの移動を案内する副軸と、
前記主軸と前記副軸とを保持するトラバースシャーシと、
を備える光ディスク装置であって、
前記トラバースシャーシの周囲には、前記主軸及び前記副軸が夫々挿入可能な挿入穴が夫々設けられたリブが立設され、
前記トラバースシャーシの前記リブより内側には、前記主軸及び前記副軸を夫々回転不自在に係止保持する係止保持部が夫々設けられ、
前記各係止保持部は、
前記挿入穴の近傍に設けられるとともに、前記挿入穴と同軸に配置され前記主軸又は前記副軸の一端部を内面で保持する第１の保持穴を有する第１の保持体と、
前記挿入穴から軸方向に離れた位置に設けられるとともに、前記挿入穴と同軸に配置され前記主軸又は前記副軸の他端部を内面で保持する第２の保持穴と、前記主軸又は前記副軸の他端部の前記軸方向の移動を規制する規制部とを有する第２の保持体と、を備え、
前記主軸が係止保持される前記第１の保持体は、ガラス繊維を含む樹脂で形成され、
前記主軸は、前記主軸が係止保持される前記第１の保持穴に圧入されることにより、前記主軸が係止保持される前記第１の保持穴の内面に保持され、
前記主軸が係止保持される前記第１の保持穴の内面には、当該第１の保持穴の内面と前記主軸の前記光ピックアップユニットを摺動可能に支持する側の外周領域との間に隙間を形成可能な凹部が形成され、当該凹部は、前記ガイド穴において前記光ピックアップユニットと当接する前記主軸の外周部分に対応した位置に設けられていることを特徴とする光ディスク装置。
【請求項２】
前記副軸は、前記光ピックアップユニットに設けられたガイド溝に係合して前記光ピックアップユニットを摺動可能に支持し、
前記副軸が係止保持される前記第１の保持体は、ガラス繊維を含む樹脂で形成され、
前記副軸は、前記副軸が係止保持される前記第１の保持穴に圧入されることにより、前記副軸が係止保持される前記第１の保持穴の内面に保持され、
記副軸が係止保持される前記第１の保持穴の内面には、当該第１の保持穴の内面と前記副軸の前記光ピックアップユニットを摺動可能に支持する側の外周領域との間に隙間を形成可能な凹部が形成され、当該凹部は、前記ガイド溝において前記光ピックアップユニットと当接する前記副軸の外周部分に対応した位置に設けられていることを特徴とする請求項１に記載の光ディスク装置。
【請求項３】
前記凹部は、前記第１の保持穴の中心から、角度８３．３度から１１１．６度の範囲にわたって形成されていることを特徴とする請求項１又は請求項２に記載の光ディスク装置。
【請求項４】
前記第１及び第２の保持穴の夫々の内面は、前記主軸又は前記副軸を、少なくとも３つの保持領域で保持するように形成され、
前記第１の保持穴の内面の前記保持領域と前記第２の保持穴の内面の前記保持領域とは、軸まわりに位相が異なっていることを特徴とする請求項１〜請求項３のいずれか１つに記載の光ディスク装置。
【発明の詳細な説明】
【技術分野】
【０００１】
本発明は、ＣＤ（compact disc）やＤＶＤ（digital versatile disk）等の光ディスクに対して、情報の記録や再生を行うことができる光ディスク装置に関する。
【背景技術】
【０００２】
近年、光ディスクを記録媒体として、光ピックアップにより読み取り再生する光ディスク装置においては、小型化、高性能化が進んでおり、ＣＤプレーヤや、記録型及び再生型のＤＶＤプレーヤが一般的に普及している。
【０００３】
従来の光ディスク装置としては、例えば、特開平８−３１５５２１号公報に開示されたものがある。この光ディスク装置を、図１０〜図１２を用いて説明する。
図１０は、従来例の光ディスク装置の一例であるＣＤプレーヤの駆動ユニットを示すものであり、トラバースシャーシの裏面を上向きとして示した斜視図である。図１１Ａは一方の支持体を図１０の矢印１１１ａの方向から見た部分斜視図であり、図１１Ｂは他方の支持体を図１０の矢印１１１ｂの方向から見た部分斜視図である。図１２Ａはガイド部材の取付け動作を示す平面図であり、図１２Ｂは図１２Ａの矢印ｂの方向の側面図であり、図１２Ｃは図１２Ａのｃ―ｃ断面図である。
【０００４】
トラバースシャーシ１０１は、裏面に合成樹脂製のブラケット１０４及びブラケット１２０を固定している。ブラケット１０４は、ガイド部材としての主軸１０９の両端部を支持しており、ブラケット１２０は、ガイド部材としての副軸１１０の両端部を支持している。主軸１０９及び副軸１１０は、互いに平行で且つトラバースシャーシ１０１に夫々平行に配置され、光ピックアップＨを搭載した光ピックアップユニット１０８の、コンパクトディスク１００の半径方向（Ｘ１方向）の移動を案内する。ブラケット１０４は、さらに、駆動源であるトラッキングモータ１０５と、トラッキングモータ１０５の駆動力を伝達する減速ギヤ列１０６と、減速ギア列１０６により伝達されたトラッキングモータ１０５の駆動力により回転する送りスクリュー軸１０７とを支持している。送りスクリュー軸１０７には、光ピックアップユニット１０８に板ばね１１５を介して支持された雌ねじ部材１１６がネジ止めされている。また、ブラケット１０４は、台座部分１０４ａにスピンドルモータ１０３を固定している。スピンドルモータ１０３の駆動軸は、トラバースシャーシ１０１の表面側に突出しており、この駆動軸にターンテーブル１０２が固定されている。
【０００５】
ターンテーブル１０２上にはコンパクトディスク１００が装着され、スピンドルモータ１０３によって回転駆動される。光ピックアップユニット１０８は、このコンパクトディスク１００の回転時に、送りスクリュー１０７の回転力により、コンパクトディスク１００の内周側から外周側へと移動し、光ピックアップＨが備える対物レンズＬからコンパクトディスク１００にレーザ光を照射し、その反射光を光ピックアップＨ内の受光素子により検出して、信号（情報）を読み取る。
【０００６】
次に、光ピックアップＨを搭載する光ピックアップユニット１０８の支持機構について、さらに詳しく説明する。
光ピックアップユニット１０８は、光ピックアップユニット１０８の一方の側部に形成されたガイド穴１０８ａにより主軸１０９に摺動自在に取り付けられている。主軸１０９の一端はブラケット１０４に一体的に形成された支持体１０４ｂの支持穴１０４ｃ内に挿入され、主軸１０９の他端はブラケット１０４に設けられた支持体に支持されている。光ピックアップユニット１０８の他方の側部には、トラバースシャーシ１０１と平行で且つ主軸１０９から遠ざかる方向（Ｙ１方向）に開口するガイド溝１０８ｂが形成されている。このガイド溝１０８ｂには、副軸１１０が摺動自在に取り付けられている。
【０００７】
副軸１１０は、ブラケット１２０においてトラバースシャーシ１０１の裏面方向へ一体的に突出形成された、一対の支持体１２１、１２２に支持されている。一方の支持体１２１には、図１１Ａに示すように、副軸１１０の一方の端部１１０ａが挿入される、袋穴形状の支持穴１２３が形成されている。支持穴１２３は、矩形状の開口を有しており、トラバースシャーシ１０１に直交する方向（Ｚ１方向）に対向する内壁面１２３ａと内壁面１２３ｂとの間隔寸法は、副軸１１０の直径寸法とほぼ同じになっている。すなわち、支持穴１２３内に挿入された副軸１１０の端部１１０ａは、この内壁面１２３ａと内壁面１２３ｂによりＺ１方向を拘束され、軽圧入状態で支持される。支持穴１２３の一方の側部内壁１２３ｃは、図１２Ａに示すように、Ｙ１方向へ傾斜している。この傾斜している側部内壁１２３ｃの内側では、支持穴１２３に端部１１０ａが挿入された状態の副軸１１０が、図１２Ａにて実線で示す取付け位置と破線で示す傾斜位置との間で、所定角度θだけ回動できるための回動余裕空間１２３ｅが形成されている。支持体１２２には、図１１Ｂに示すように、副軸１１０の他方の端部１１０ｂが、主軸１０９に近付く方向（Ｙ１方向とは逆方向）へ挿入できるように、Ｙ１方向に開口する凹部１２４が形成されている。凹部１２４のＺ１方向に対向する内壁面１２４ａと内壁面１２４ｂとの間隔寸法は、副軸１１０の直径寸法とほぼ同じになっている。すなわち、凹部１２４内に挿入された副軸１１０の端部１１０ｂは、この内壁面１２４ａと内壁面１２４ｂによりＺ１方向を拘束され、軽圧入状態で支持される。
【０００８】
副軸１１０は、支持穴１２３に端部１１０ａを挿入されたのち、凹部１２４に端部１１０ｂを挿入される。このとき、副軸１１０は、支持穴１２３の側部内壁１２３ｄに当たるとともに凹部１２４の側部内壁１２４ｃに当たって、トラバースシャーシ１０１と平行な方向の位置決めがなされるとともに、支持穴１２３の内壁面１２３ａ、１２３ｂと凹部１２４の内壁面１２４ａ、１２４ｂによりＺ１方向の位置決めがなされる。
【０００９】
凹部１２４内に挿入され、位置決めがなされた副軸１１０の端部１１０ｂは、円柱状の位置決め頭部１２５ａ及び雄ねじ部１２５ｂからなる止めネジ１２５の雄ねじ部１２５ｂが、ブラケット１２０に形成された取付穴１２０ａに挿入されて、トラバースシャーシ１０１に形成された雌ねじ穴１０１ｃ（図１２Ｂ参照）にネジ締めされることで、止めねじ１２５の位置決め頭部１２５ａに当たり、凹部１２４内からＹ１方向へ抜け出るのを防止される。
【先行技術文献】
【特許文献】
【００１０】
【特許文献１】特開平８−３１５５２１号公報
【発明の概要】
【発明が解決しようとする課題】
【００１１】
上記従来例の装置によれば、止めねじ１２５の位置決め頭部１２５ａと、凹部１２４の側部内壁１２４ｃとで、副軸１１０の端部１１０ｂを、Ｙ１方向へ動かないように拘束する。しかしながら、副軸１１０の、トラバースシャーシ１０１と平行な方向への位置決め精度は、Ｚ１方向への位置決め精度に比べて低く、凹部１２４の内側壁１２４ｃと位置決め頭部１２５ａとの間で副軸１１０がＹ１方向へ若干位置ずれする場合がある。つまり、ガタつきが生じる場合がある。副軸１１０にガタつきがあると、主軸１０９と副軸１１０との平行度が確保できなくなり、光ピックアップユニット１０８がコンパクトディスク１００の半径方向へ移動したときに、異音や振動を発生させて、品質を悪化させる可能性がある。
【００１２】
従って、本発明の目的は、上記課題を解決することにあって、光ピックアップユニットを案内する主軸及び副軸を、トラバースシャーシにガタつきなく固定できる光ディスク装置を提供することにある。
【課題を解決するための手段】
【００１３】
上記目的を達成するために、本発明は以下のように構成する。
本発明の第１態様によれば、光ディスクに対して半径方向に移動可能に設けられ、前記光ディスクに書き込まれた情報の読み込み又は前記光ディスクに情報の書き込みを行う光ピックアップユニットと、
前記半径方向と平行に配設され、前記光ピックアップユニットを摺動可能に支持するとともに前記光ピックアップユニットの移動を案内する主軸と、
前記主軸と平行に配設され、前記主軸と協働して前記光ピックアップユニットを摺動可能に支持するとともに前記光ピックアップユニットの移動を案内する副軸と、
前記主軸と前記副軸とを保持するトラバースシャーシと、
を備える光ディスク装置であって、
前記トラバースシャーシの周囲には、前記主軸及び前記副軸が夫々挿入可能な挿入穴が夫々設けられたリブが立設され、
前記トラバースシャーシの前記リブより内側には、前記主軸及び前記副軸を夫々回転不自在に係止保持する係止保持部が夫々設けられ、
前記各係止保持部は、
前記挿入穴の近傍に設けられるとともに、前記挿入穴と同軸に配置され前記主軸又は前記副軸の一端部を内面で保持する第１の保持穴と、前記主軸又は前記副軸の前記第１の保持穴から前記挿入穴に向かう方向への移動を規制する弾性変形可能な抜け止め爪部とを有する第１の保持体と、
前記挿入穴から軸方向に離れた位置に設けられるとともに、前記挿入穴と同軸に配置され前記主軸又は前記副軸の他端部を内面で保持する第２の保持穴と、前記主軸又は前記副軸の他端部の前記軸方向の移動を規制する規制部とを有する第２の保持体と、を備え、
前記各抜け止め爪部は、
前記第１の保持穴の内面及び前記第２の保持穴の内面で保持されるとともに前記規制部により軸方向の移動を規制された保持位置に位置する前記主軸又は前記副軸の一端部に係止位置で係止可能な係止部と、
前記挿入穴に挿入される前記主軸又は前記副軸の他端部と当接して前記係止部を前記係止位置から退避位置に弾性変形により移動させる傾斜部と、
を備えることを特徴とする光ディスク装置を提供する。
【００１４】
本発明の第２態様によれば、前記トラバースシャーシには、前記係止位置に位置する前記係止部の前記退避位置への移動を規制する退避規制部材がさらに設けられていることを特徴とする第１態様に記載の光ディスク装置を提供する。
【００１５】
本発明の第３態様によれば、前記退避規制部材はフランジ部を有するビスであり、
前記フランジ部が前記係止位置に位置する前記係止部に当接するように、前記ビスが前記トラバースに取り付けられることにより、前記係止部の前記退避位置への移動が規制されることを特徴とする第２態様に記載の光ディスク装置を提供する。
【００１６】
本発明の第４態様によれば、前記主軸が係止保持される前記第１の保持体は、ガラス繊維を含む樹脂で形成され、
前記主軸は、前記主軸が係止保持される前記第１の保持穴に圧入されることにより、前記主軸が係止保持される前記第１の保持穴の内面に保持され、
前記主軸が係止保持される前記第１の保持穴の内面には、前記主軸の、前記光ピックアップユニットを摺動可能に支持する側の外周領域との間に隙間を形成可能な凹部が形成されていることを特徴とする第１態様〜第３態様のいずれか１つに記載の光ディスク装置を提供する。
【００１７】
本発明の第５態様によれば、前記副軸が係止保持される前記第１の保持体は、ガラス繊維を含む樹脂で形成され、
前記副軸は、前記副軸が係止保持される前記第１の保持穴に圧入されることにより、前記副軸が係止保持される前記第１の保持穴の内面に保持され、
前記副軸が係止保持される前記第１の保持穴の内面には、前記副軸の、前記光ピックアップユニットを摺動可能に支持する側の外周領域との間に隙間を形成可能な凹部が形成されていることを特徴とする第１態様〜第３態様のいずれか１つに記載の光ディスク装置を提供する。
【００１８】
本発明の第６態様によれば、前記凹部は、前記第１の保持穴の中心から、角度８３．３度から１１１．６度の範囲にわたって形成されていることを特徴とする第４態様又は第５態様に記載の光ディスク装置を提供する。
【００１９】
本発明の第７態様によれば、前記第１及び第２の保持穴の夫々の内面は、前記主軸又は前記副軸を、少なくとも３つの保持領域で保持するように形成され、
前記第１の保持穴の内面の前記保持領域と前記第２の保持穴の内面の前記保持領域とは、軸まわりに位相が異なっていることを特徴とする第１態様〜第６態様のいずれか１つに記載の光ディスク装置を提供する。
【発明の効果】
【００２０】
本発明の第１態様によれば、主軸及び副軸の両端部を内面で保持する第１及び第２の保持穴を有するともに、保持位置に位置する主軸及び副軸の一端部と係止位置で係止可能な係止部と、主軸及び副軸の他端部で押圧力が付与されることにより、係止部を係止位置から退避位置に移動させる傾斜部とを備えて、主軸及び副軸が保持位置で保持された状態のときには、自身の弾性力で係止部を退避位置から係止位置に復帰させる抜け止め爪部を有しているので、光ピックアップユニットを案内する主軸及び副軸をトラバースシャーシにガタつきなく固定できる。また、トラバースシャーシの周囲にリブが設けられているので、トラバースシャーシは変形に対する強度が強くなっている。したがって、主軸及び副軸は、光ピックアップユニットと光ディスクとの寸法関係（距離）を所定の数値を保つことができる。
【００２１】
また、本発明の第２態様によれば、係止位置に位置する係止部の退避位置への移動を規制する退避規制部材を備えているので、主軸及び副軸の保持強度を向上させることができ、落下や振動などの外力が加わっても、主軸及び副軸の係止保持状態が解除されることがない。
【００２２】
また、本発明の第３態様によれば、退避規制部材がフランジ部を有するビスであるので、簡単な工具で固定でき、工数を削減することができる。
【００２３】
また、トラバースシャーシの変形に対する強度をさらに向上させるために、トラバースシャーシを、主軸及び副軸より硬い材料、例えばガラス繊維を含む樹脂で形成した場合、主軸及び副軸を傷つけてしまうことがある。特に、主軸、副軸をトラバースシャーシにさらにガタつきなく固定するために、主軸、副軸を圧入により係止保持した場合には、組立時に第１の保持穴の内面に擦られながら挿入されるので主軸、副軸に傷が付きやすい。主軸、副軸の、光ピックアップと当接する部分に傷があると、光ピックアップが光ディスクの半径方向へ移動しても移動負荷が変化して、光ディスクの読み取りに失敗したり、異音が発生したりする可能性がある。
【００２４】
本発明の第４又は５態様によれば、主軸又は副軸が係止保持される第１の保持穴の内面に、主軸又は副軸の、光ピックアップユニットを摺動可能に支持する側の外周領域との間に隙間を形成可能な凹部が形成されているので、光ピックアップと当接する主軸又は副軸の外周領域には傷がつかない。したがって、光ピックアップが光ディスクの半径方向へ移動しても移動負荷が変化することはない。
【図面の簡単な説明】
【００２５】
【図１】本発明の実施形態にかかる光ディスク装置本体の斜視図
【図２】本発明の実施形態にかかる光ディスク装置本体の分解斜視図
【図３】本発明の実施形態にかかる光ディスク装置のメカニズム本体の分解斜視図
【図４】本発明の実施形態にかかる光ディスク装置のトラバースベース部の斜視図
【図５】本発明の実施形態にかかる光ディスク装置のトラバースベース部の分解斜視図
【図６Ａ】本発明の実施形態にかかる光ディスク装置のトラバースベース部の副軸抜け止め爪を示す部分平面図
【図６Ｂ】図６ＡのＡ−Ａ断面図
【図７Ａ】本発明の実施形態にかかる光ディスク装置の副軸の取付け動作を示す部分斜視図
【図７Ｂ】本発明の実施形態にかかる光ディスク装置の副軸の取付け動作を示す他の部分斜視図
【図７Ｃ】本発明の実施形態にかかる光ディスク装置の副軸の取付け動作を示すさらに他の部分斜視図
【図８Ａ】本発明の実施形態にかかる光ディスク装置のトラバースベース部の副軸抜け止め爪が移動を規制された状態を示す部分平面図
【図８Ｂ】図８ＡのＢ−Ｂ断面図
【図８Ｃ】図８ＡのＣ−Ｃ断面図
【図９Ａ】本発明の実施形態にかかる光ディスク装置のメカニズム本体を裏側から見た平面図
【図９Ｂ】図９ＡのＤ−Ｄ断面図
【図９Ｃ】図９ＡのＥ−Ｅ断面図
【図９Ｄ】図９Ａの主軸側のＦ−Ｆ断面図
【図９Ｅ】第１の主軸保持穴の第１の変形例を示す断面図
【図９Ｆ】第１の主軸保持穴の第２の変形例を示す断面図
【図９Ｇ】図９Ａの主軸側のＧ−Ｇ断面図
【図９Ｈ】図９Ｇの部分拡大断面図
【図９Ｉ】図９Ａの主軸側のＧ−Ｇ断面図の他の部分拡大断面図
【図９Ｊ】図９Ａの主軸側のＨ−Ｈ断面図
【図９Ｋ】図９Ａの副軸側のＦ−Ｆ断面図
【図９Ｌ】図９Ａの副軸側のＧ−Ｇ断面図
【図９Ｍ】図９Ａの副軸側のＨ−Ｈ断面図
【図１０】従来例の光ディスク装置のトラバースシャーシの裏面を上向きとして示した斜視図
【図１１Ａ】従来例の光ディスク装置の副軸の一方の支持体を示す部分斜視図
【図１１Ｂ】従来例の光ディスク装置の副軸の他方の支持体を示す部分斜視図
【図１２Ａ】従来例の光ディスク装置のガイド部材の取付け動作を示す平面図
【図１２Ｂ】図１２Ａの矢印ｂの方向の側面図
【図１２Ｃ】図１２Ａのｃ―ｃ断面図
【発明を実施するための形態】
【００２６】
本発明の記述を続ける前に、添付図面において同じ部品については同じ参照符号を付している。
以下、本発明の最良の実施の形態について、図面を参照しながら説明する。
【００２７】
《実施形態》
本発明の実施形態にかかる光ディスク装置の基本構成を図１〜図５を用いて説明する。図１は本発明の実施形態にかかる光ディスク装置の斜視図であり、図２は分解斜視図である。図３は本発明の実施形態にかかる光ディスク装置のメカニズム本体の分解斜視図であり、図４はトラバースベース部を含む支持基板の斜視図であり、図５はトラバースベース部の分解斜視図である。
【００２８】
光ディスク装置の本体１は、図１及び図２に示すように、前面パネル３ａと蓋ケース３ｂと底ケース３ｃとで構成される第１の筐体内にメカニズム本体４を備えている。前面パネル３ａには光ディスク２が挿入されるディスク挿入穴３ｄが形成されている。光ディスク２は、例えばＣＤやＤＶＤ等のディスク状の記録媒体である。底ケース３ｃの上面にはメカニズム本体４と配線される配線基板５が設けられている。ディスク挿入穴３ｄより挿入された光ディスク２は、メカニズム本体４内にローディングされ、情報が再生又は記録される。
【００２９】
メカニズム本体４は、図３に示すように、矩形の支持基板６と、支持基板６の上部を覆うように設けられ、支持基板６とで第２の筐体を構成する蓋体７と、前記第２の筐体内で支持基板６に支持され、光ディスク２のローディング動作をするためのモータ及び減速機構等を有するローディング部８とを有している。
【００３０】
支持基板６にはトラバースベース部９が設けられている。トラバースベース部９は、光ディスク２を載置するターンテーブル３０（図３）を回転駆動するスピンドルモータ１１と、光ディスク２に対して半径方向５０に移動可能に設けられた光ピックアップユニット１４と、互いに平行に配設され、光ピックアップユニット１４を支持するとともに光ピックアップユニット１４の半径方向５０の移動を案内する円柱形状の、主軸１６及び副軸１７と、ターンテーブル３０、スピンドルモータ１１、主軸１６及び副軸１７を保持するトラバースシャーシ１０とを備えている。
【００３１】
トラバースシャーシ１０は、支持基板６の中央部を含んで支持基板６の一側部まで延在するようにＵ字形状に形成され、支持基板６に一体的に形成されている。トラバースシャーシ１０は、ローディング部８の組立時の衝撃などによって変形すると、主軸１６と副軸１７との平行度やスピンドルモータ１１のターンテーブル３０に載置された光ディスク２との寸法関係（距離）が変化して、主軸１６及び副軸１７により案内される光ピックアップユニット１４と光ディスク２との寸法関係が変わり、光ピックアップユニット１４が光ディスク２の情報を再生したり、光ディスク２に情報を記録することができなくなる恐れがある。このため、トラバースシャーシ１０には、図４及び図５に示すように、その底面１０ｇの周囲を囲むようにリブ１０ａが立設されている。このリブ１０ａにより、トラバースシャーシ１０の強度が強化され、トラバースシャーシ１０の変形が抑えられている。また、トラバースシャーシ１０は、例えば主軸１６又は副軸１７より硬い、ガラス繊維が含まれた樹脂で形成されて強度を強化されている。
【００３２】
リブ１０ａの装置外側に接する部分には、主軸１６が挿入可能な挿入穴の一例である主軸挿入穴１０ｂと、副軸１７が挿入可能な挿入穴の一例である副軸挿入穴１０ｃが形成されている。トラバースシャーシ１０のリブ１０ａに囲まれる内側部分には、主軸１６を回転不自在に係止保持する主軸係止保持部３１ａと、副軸１７を回転不自在に係止保持する副軸係止保持部３１ｂとが立設されている。
【００３３】
主軸係止保持部３１ａは、主軸挿入穴１０ｂの近傍に設けられた第１の保持体の一例である第１の主軸保持体３２と、主軸挿入穴１０ｂから軸方向、つまり半径方向５０に離れた位置に設けられた第２の保持体の一例である第２の主軸保持体３３とで構成されている。副軸係止保持部３１ｂは、副軸挿入穴１０ｃの近傍に設けられた第１の保持体の一例である第１の副軸保持体３４と、副軸挿入穴１０ｃから軸方向、つまり半径方向５０に離れた位置に設けられた第２の保持体の一例である第２の副軸保持体３５とで構成されている。第１の主軸保持体３２、第２の主軸保持体３３、第１の副軸保持体３４及び第２の副軸保持体は、トラバースシャーシ１０と同様に、例えば主軸１６又は副軸１７より硬い、ガラス繊維が含まれた樹脂で形成され、トラバースシャーシ１０に一体的に形成されている。
【００３４】
第１の主軸保持体３２は、主軸挿入穴１０ｂと同軸に配置され、主軸１６の一端部を内面で保持可能に形成された第１の保持穴の一例である第１の主軸保持穴２１と、主軸１６が第１の主軸保持穴２１から主軸挿入穴１０ｂに向かう方向へ移動するのを規制する、弾性変形可能な抜け止め爪部の一例である主軸抜け止め爪部２６−２（図４、図５及び図９Ａ参照）とを有している。第２の主軸保持体３３は、主軸挿入穴１０ｂと同軸に配置され、主軸１６の他端部を内面で保持可能に形成されている第２の保持穴の一例である第２の主軸保持穴２３と、主軸１６の他端部の半径方向５０の移動を規制する規制部の一例である主軸規制部２４とを有している。
【００３５】
第１の副軸保持体３４は、副軸挿入穴１０ｃと同軸に配置され、副軸１７の一端部を内面で保持可能に形成された第１の保持穴の一例である第１の副軸保持穴２５と、副軸１７が第１の副軸保持穴２５から副軸挿入穴１０ｃに向かう方向へ移動するのを規制する、弾性変形可能な抜け止め爪部の一例である副軸抜け止め爪部２６−１（図４、図５及び図９Ａ参照）とを有している。第２の副軸保持体３５は、副軸挿入穴１０ｃと同軸に配置され、副軸１７の他端部を内面で保持可能に形成されている第２の保持穴の一例である第２の副軸保持穴２７と、副軸１７の他端部の半径方向５０の移動を規制する規制部の一例である副軸規制部２８とを有している。
【００３６】
第１の主軸保持穴２１、第２の主軸保持穴２３、第１の副軸保持穴２５及び第２の副軸保持穴２７の夫々は、大略円筒形状に形成されている。主軸１６は、一端部を第１の主軸保持体３２の第１の主軸保持穴２１の内面で保持され、他端部を第２の主軸保持体３３の第２の主軸保持穴２３の内面で保持される。また、副軸１７は、一端部を第１の副軸保持体３４の第１の副軸保持穴２５の内面で保持され、他端部を第２の副軸保持体３５の第２の副軸保持穴２７の内面で保持される。
【００３７】
主軸規制部２４は、主軸１６が装置外側から主軸挿入穴１０ｂを通って挿入される方向５１（以下、挿入方向５１という）下流側で、主軸１６の挿入経路上に位置するように設けられている。主軸規制部２４は、第２の主軸保持穴２３の挿入方向５１の下流側の一部又は全部を塞ぐように設けられても、第２の主軸保持穴２３から挿入方向５１の下流側へ少し離れて設けられてもよい。同様に、副軸規制部２８は、挿入方向５１の下流側で、副軸１７の挿入経路上に位置するように設けられている。副軸規制部２８は、第２の副軸保持穴２７の挿入方向５１の下流側を塞ぐように設けられても、第２の副軸保持穴２７から副軸１７の挿入方向５１の下流側へ少し離れて設けられてもよい。
【００３８】
本発明の実施形態においては、主軸係止保持部３１ａと副軸係止保持部３１ｂとで係止保持部の一例を構成している。各保持穴２１，２３，２５，２７の形状や各抜け止め爪２６−１，２６−２の具体的な構成等については、後で詳しく説明する。
【００３９】
トラバースシャーシ１０の、支持基板６の中央部と対応する部分の近傍には、図５に示すように、複数（例えば３つ）のネジ穴１０ｄが設けられている。このネジ穴１０ｄに、チルトバネ１２と光ディスク２を回転させるスピンドルモータ１１とを介して、調整ビス１３がねじ込まれることによって、図４に示すように、スピンドルモータ１１がトラバースシャーシ１０に固定されている。
【００４０】
光ピックアップユニット１４は、光ピックアップ１４ａと移動ベース１４ｂとを有している。光ピックアップ１４ａは、光ディスク２に書き込まれた情報の読み込み又は光ディスク２に情報の書き込みを行う。移動ベース１４ｂには主軸１６が摺動自在に貫通可能な２つのガイド穴１４ｃと、主軸１６から遠ざかる方向に開口し、副軸１７が摺動自在に係合可能なガイド溝１４ｄとが形成されている。光ピックアップユニット１４は、第１の主軸保持体３２及び第２の主軸保持体３３に両端部を保持される主軸１６が２つのガイド穴１４ｃを貫通し、第１の副軸保持体３４及び第２の副軸保持体３５に両端部を保持される副軸１７がガイド溝１４ｄに係合することにより、半径方向５０に移動可能に保持されている。ガイド穴１４ｃ及びガイド溝１４ｄの具体的な形状等については、後で詳しく説明する。
【００４１】
また、移動ベース１４ｂの主軸１６及び副軸１７から遠ざかる側の端部には、ナット部１５が設けられている。ナット部１５は、半径方向５０に延在するように配設されたリードスクリュー１８ａと螺合している。リードスクリュー１８ａの一端部は、第１の主軸保持体３２の近傍で且つ主軸１６の副軸１７から遠ざかる側の近傍に配置され、回転力を発生させるステッピングモータ１８に回転可能に取り付けられている。リードスクリュー１８ａの他端部は、第２の主軸保持体３３の近傍で且つステッピングモータ１８より半径方向５０に離れた位置に配置されたスクリュー保持体１８ｂに回転可能に取り付けられている。光ピックアップユニット１４は、ステッピングモータ１８が回転力を発生させることにより、リードスクリュー１８ａが軸まわりに回転し、そのリードスクリュー１８ａに係合するナット部１５が半径方向５０に移動するので、半径方向５０に移動可能となっている。
【００４２】
また、ステッピングモータ１８とスクリュー保持体１８ｂとは、半径方向５０に延在する連結部材１８ｃによって一体的に連結されている。連結部材１８ｃには複数のネジ穴１８ｄが設けられており、このネジ穴１８ｄに止めビス１９を差し込んで、止めビス１９をトラバースシャーシ１０に締め付けることにより、連結部材１８ｃはトラバースシャーシ１０に固定されている。
【００４３】
本発明の実施形態においては、主軸１６、副軸１７、ステッピングモータ１８及びリードスクリュー１８ａにより案内機構が構成され、光ピックアップユニット１４、ナット部１５、主軸１６、副軸１７、ステッピングモータ１８及びリードスクリュー１８ａにより光ピックアップ装置が構成される。
【００４４】
次に、各抜け止め爪部２６−１，２６−２の具体的な構成について、図６Ａ〜図６Ｂ、図７Ａ〜図７Ｃ、図８Ａ〜図８Ｃ、及び図９Ａ〜図９Ｃを参照しつつ説明する。図６Ａは本発明の実施形態にかかる光ディスク装置のトラバースベース部９の副軸抜け止め爪２６−１を示す部分平面図であり、図６Ｂは図６ＡのＡ−Ａ断面図である。図７Ａ〜図７Ｃは、本発明の実施形態にかかる光ディスク装置の副軸１７の取付け動作を示す部分斜視図である。図８Ａはトラバースベース部９の副軸抜け止め爪２６−１が移動を規制された状態を示す部分平面図であり、図８Ｂは図８ＡのＢ−Ｂ断面図であり、図８Ｃは図８ＡのＣ−Ｃ断面図である。図９Ａはメカニズム本体４を裏側から見た平面図であり、図９Ｂは図９ＡのＤ−Ｄ断面図であり、図９Ｃは図９ＡのＥ−Ｅ断面図である。主軸抜け止め爪部２６−２と副軸抜け止め爪部２６−１とは同様の構成であるので、以下には副軸抜け止め爪部２６−１について説明する。
【００４５】
副軸抜け止め爪部２６−１は、図６Ａ及び図６Ｂに示すように、副軸挿入穴１０ｃに向かって軸方向に延在し、一端部が副軸挿入穴１０ｃの近傍に位置するように設けられている。副軸抜け止め爪部２６−１は、図９Ｃに示すように、第１の副軸保持穴２５の内面２５ａ及び第２の副軸保持穴２７の内面２７ａで保持されるとともに副軸規制部２８により軸方向の移動を規制された状態、つまり保持位置Ａ１に位置している状態の副軸１７の一端部と係止可能な係止部２６ａと、副軸挿入穴１０ｃを挿入した副軸１７の他端部と当接可能に設けられ、副軸１７の他端部で軸方向に押されることにより、係止部２６ａを、図６Ｂに示すように副軸１７の軸方向の挿入経路１７ａ上の係止位置Ｂ１（図８Ｂに示す位置）から、挿入経路１７ａ上より離れた退避位置Ｂ２（図６Ｂに示す位置）に移動させる傾斜部２６ｂとを一体的に備えている。
【００４６】
副軸抜け止め爪部２６−１の係止部２６ａ及び傾斜部２６ｂの部分は、軸方向の断面が大略直角三角形状となるように形成されている。係止部２６ａと副軸規制部２８との間隔寸法は、副軸１７の長手方向の長さと同じ寸法となるように形成されている。係止部２６ａは、副軸１７を副軸規制部２８に軸方向に付勢するように、装置奥側に向かうに従いトラバースシャーシ１０の底面１０ｇから遠ざかるように若干傾斜している。これにより、副軸１７は、係止部２６ａと副軸規制部２８との間でガタつきなく固定される。傾斜部２６ｂは、装置奥側に向かうに従いトラバースシャーシ１０の底面１０ｇに近づくように傾斜している。
【００４７】
副軸抜け止め爪部２６−１の、副軸挿入穴１０ｃの近傍部分には、挿入方向５１と交差方向（例えば直交方向）に突出する突出部２６ｃが形成されている。また、リブ１０ａの、突出部２６ｃの近傍部分には、ネジ穴１０ｅが装置の厚さ方向に形成されている。このネジ穴１０ｅは、退避規制部材の一例である、フランジ部２９ａを有する規制ビス２９を挿入可能に形成されている。規制ビス２９のフランジ部２９ａは、規制ビス２９の軸方向に対して交差方向（例えば直交方向）に放射状に突出している。規制ビス２９のフランジ部２９ａの半径方向５０の長さは、図７Ｃに示すように、突出部２６ｃとネジ穴１０ｅとの間の距離よりも長くなるように形成されている。
【００４８】
次に、副軸１７の取付け動作について説明する。
まず、副軸１７の他端部を装置外側、つまりトラバースシャーシ１０のリブ１０ａの外側から副軸挿入穴１０ｃに挿入し、副軸１７の他端部を副軸抜け止め爪部２６−１の傾斜部２６ｂと当接させる。このとき、副軸抜け止め爪部２６−１の係止部２６ａは係止位置Ｂ１に位置する。この状態で、さらに副軸１７を挿入方向５１に押し込むと、副軸１７の他端部に傾斜部２６ｂが押されるに従いトラバースシャーシ１０の底面１０ｇから遠ざかるように副軸抜け止め爪部２６−１が弾性変形して、図６Ｂに示すように、副軸抜け止め爪部２６−１の係止部２６ａが係止位置Ｂ１から退避位置Ｂ２に移動する。
【００４９】
さらに副軸１７を挿入方向５１に押し込むと、副軸１７の他端部は、第１の副軸保持穴２５を通過して第２の副軸保持穴２７に挿入され、副軸規制部２８と当接する。このとき、副軸１７の一端部は副軸保持穴１０ｃを貫通して、第１の副軸保持穴２５に保持される。このとき、係止部２６ａと副軸規制部２８との間の距離が副軸１７の長手方向の長さと同じ寸法となるように形成されているので、副軸抜け止め爪部２６−１の弾性力により係止部２６ａは、図９Ｂに示すように副軸１７の挿入経路１７ａ上に復帰して、副軸１７の一端部と当接する。これにより、副軸１７は、係止部２６ａと副軸規制部２８との間でガタつきなく固定されるとともに、副軸抜け止め爪部２６−１の弾性力によりトラバースシャーシ１０の底面１０ｇに近付く方向に付勢される。したがって、副軸１７は、係止部２６ａと副軸抜け止め爪部２６−１と副軸規制部２８とにより、軸まわりに回転しないように固定される。
【００５０】
この状態で、図７Ｃ及び図８Ａ〜図８Ｃに示すように、ネジ穴１０ｅに規制ビス２９をねじ込んで、規制ビス２９のフランジ部２９ａを副軸抜け止め爪部２６−１の突出部２６ｃと当接させる。これにより、副軸抜け止め爪部２６−１の係止部２６ａの退避位置Ｂ２への移動が規制される。
【００５１】
以上のようにして、副軸１７の取付け動作が完了する。なお、主軸抜け止め爪部２６−２の構成及び取付け動作は、副軸抜け止め爪部２６−１と同様であるので説明を省略する。
【００５２】
なお、トラバースシャーシ１０の、第１の主軸抜け止め爪２６−２と対向する部分及び第１の副軸抜け止め爪２６−１と対向する部分には、図６Ａ及び図７Ａ〜図７Ｃに示すように、マイナスドライバー等の挿入部材が挿入可能な貫通穴１０ｆが設けられている。また、主軸規制部２４又は副軸規制部２８には、図９Ｂ又は図９Ｃに示すように、挿入方向５１の下流側に向かうに従い図９Ｂ又は図９Ｃの上方に傾斜し、主軸１６又は副軸１７の挿入方向５１の下流側の先端面との間に、マイナスドライバー等の挿入部材が挿入可能な隙間を形成する傾斜面２４ａ又は傾斜面２８ａが設けられている。主軸１６又は副軸１７を取り外すときには、規制ビス２９を外し、貫通穴１０ｆに装置外側から前記挿入部材を挿入して、第１の主軸抜け止め爪２６−２又は第１の副軸抜け止め爪２６−１の係止部を係止位置Ｂ１から退避位置Ｂ２に移動させ、傾斜面２４ａ又は傾斜面２８ａにより形成された、主軸１６又は副軸１７の挿入方向５１の下流側の先端面と軸規制部２４又は副軸規制部２８との隙間に、別の挿入部材を挿入して主軸１６又は副軸１７の挿入方向５１の下流側の先端面を挿入方向５１と逆方向に押すことで主軸１６又は副軸１７の取り外しが容易になっている。
【００５３】
次に、各保持穴２１，２３，２５，２７、ガイド穴１４ｃ及びガイド溝１４ｄの具体的な形状について、図９Ａ、図９Ｄ〜図９Ｍを参照しつつ説明する。図９Ｄ〜図９Ｆは、図９Ａの主軸１６側のＦ−Ｆ断面図であり、図９Ｄは主軸１６が第１の主軸保持穴２１に圧入保持された状態を示す部分断面図であり、図９Ｅは第１の主軸保持穴２１の第１の変形例を示す部分断面図であり、図９Ｆは第１の主軸保持穴２１の第２の変形例を示す部分断面図である。図９Ｇ〜図９Ｉは、図９Ａの主軸１６側のＧ−Ｇ断面図であり、図９Ｇは主軸１６が第１の主軸保持穴２１の第２の変形例に圧入されたときの主軸１６とガイド穴１４ｃとの当接状態を示す部分断面図であり、図９Ｈは図９Ｇの部分拡大断面図であり、図９Ｉは主軸１６が第１の主軸保持穴２１の第１の変形例に圧入されたときの主軸１６とガイド穴１４ｃとの当接状態を示す部分拡大断面図である。図９Ｊは主軸１６側のＨ−Ｈ断面図であり、主軸１６が第２の主軸保持穴２３に圧入保持された状態を示す部分断面図である。図９Ｋは副軸１７側のＦ−Ｆ断面図であり、副軸１７が第１の副軸保持穴２５に圧入保持された状態を示す部分断面図である。図９Ｌは副軸１７側のＧ−Ｇ断面図であり、副軸１７とガイド溝１４ｄとの接触状態を示す部分断面図である。図９Ｍは第２の副軸１７側のＨ−Ｈ断面図であり、副軸１７が第２の副軸保持穴２７に圧入保持された状態を示す部分断面図である。なお、図９Ｄ〜図９Ｍにおいて、Ｘは半径方向５０と直交し且つ主軸１６から副軸１７へ向かう方向を示し、Ｙは挿入方向５１と逆方向を示し、Ｚは、光ピックアップユニット１４が光ディスク２に書き込まれた情報の読み込み又は光ディスク２に情報を書き込む方向、つまり装置裏側から装置表側（支持基板６から蓋体７）に向かう方向を示している。なお、光ディスク装置１は、横置き（＋Ｚ方向を上側として載置）されているものとする。
【００５４】
第１の主軸保持穴２１は、図９Ｄに示すように、内面２１ａで主軸１６を圧入保持可能に形成されている。第１の主軸保持穴２１の内面２１ａには、主軸１６の外周領域１６ｂの＋Ｚ方向側１６ｂ−１と対向する凹部２１ｂと、主軸１６の外周領域１６ｂの＋Ｘ方向側１６ｂ−２と対向する凹部２１ｃとが形成されている。この凹部２１ｂ，２１ｃにより、第１の主軸保持穴２１と主軸１６との間に隙間Ｓ２１ｂ，Ｓ２１ｃが形成されている。ガイド穴１４ｃは、図９Ｇに示すように、直径が主軸１６の直径よりもやや大きく形成されている。本発明の実施形態の光ディスク装置においては、蓋体７を上側として載置されているので、光ピックアップユニット１４に−Ｚ方向に重力が働き、ガイド穴１４ｃは主軸１６の外周領域の＋Ｚ方向側１６ｂ−１で当接する。
【００５５】
第２の主軸保持穴２３は、図９Ｊに示すように、内面２３ａで主軸１６を圧入保持可能に形成されている。第２の主軸保持穴２３の内面２３ａは、主軸１６の外周領域１６ｂの±Ｘ方向側及び±Ｚ方向側に夫々位置する４つの保持領域２３ｂで保持するように形成されている。第２の主軸保持穴２３の内面２３ａの保持領域２３ｂ以外の領域は、主軸１６との間に隙間Ｓ２３ｃが形成されるように、凹部２３ｃが設けられている。この隙間Ｓ２３ｃが形成されることにより、主軸１６の挿入が容易になっている。主軸挿入穴１０ｂ、第１の主軸保持穴２１、ガイド穴１４ｃ及び第２の主軸保持穴２３は、軸方向に平行に設けられている。
【００５６】
第１の副軸保持穴２５は、図９Ｋに示すように、内面２５ａで副軸１７を圧入保持可能に形成されている。第１の副軸保持穴２５の内面２５ａには、副軸１７の外周領域１７ｂの＋Ｚ方向側１７ｂ−１と対向する凹部２５ｂと、副軸１７の外周領域１７ｂの＋Ｘ方向側１７ｂ−２と対向する凹部２５ｃとが形成されている。この凹部２５ｂ，２５ｃにより、第１の副軸保持穴２５と副軸１７との間に隙間Ｓ２５ｂ，Ｓ２５ｃが形成されている。ガイド溝１４ｄは、図９Ｌに示すように、半円形状に形成され、ガイド溝１４ｄの内面の端部間の直線距離は、副軸１７の直径よりもやや大きく形成されている。本発明の実施形態の光ディスク装置においては、蓋体７を上側として載置されているので、光ピックアップユニット１４に−Ｚ方向に重力が働き、ガイド溝１４ｄは副軸１７の外周領域１７ｂの＋Ｚ方向側１７ｂ−１で当接する。
【００５７】
第２の副軸保持穴２７は、図９Ｍに示すように、内面２７ａで副軸１７を圧入保持可能に形成されている。第２の副軸保持穴２７の内面２７ａは、副軸１７の外周領域１７ｂの±Ｘ方向側及び±Ｚ方向側に夫々位置する４つの保持領域２７ｂで保持するように形成されている。第２の副軸保持穴２７の内面２７ａの保持領域２７ｂ以外の領域は、副軸１７との間に隙間Ｓ２７ｃが形成されるように、凹部２７ｃが設けられている。この隙間Ｓ２７ｃが形成されることにより、副軸１７の挿入が容易になっている。副軸挿入穴１０ｃ、第１の副軸保持穴２５、ガイド溝１４ｄ及び第２の副軸保持穴２７は、軸方向に平行に設けられている。
【００５８】
光ディスク装置１が蓋体７を上側にして載置された場合、−Ｚ方向に重力が働くので、主軸１６、副軸１７はそれぞれ、光ピックアップユニット１４の重さを受けて、図９Ｇ、図９Ｌに示すように、外周領域１６ｂの＋Ｚ方向側１６ｂ−１がガイド穴１４ｃ、ガイド溝１４ｄに当接する。このとき、主軸１６の外周領域１６ｂの＋Ｚ方向側１６ｂ−１又は副軸１７の外周領域１７ｂの＋Ｚ方向側１７ｂ−１に傷があると、光ピックアップ１４の移動負荷が変化し、光ディスク２の読み取りに失敗したり、異音が発生したりする可能性がある。主軸１６は、組立時、他端部を最初に第１の主軸保持穴２１の内面２１ａに圧入され、その状態で第１の主軸保持穴２１の内面２１ａに擦られながら第２の主軸保持穴２３の内面２３ａまで押し込まれるので、外周領域１６ｂに傷がつきやすい。同様に、副軸１７は、組立時、他端部を最初に第１の副軸保持穴２５の内面２５ａに圧入され、その状態で第２の副軸保持穴２７の内面２７ａまで押し込まれるので、外周領域１７ｂに傷がつきやすい。
【００５９】
本発明の実施形態においては、第１の主軸保持穴２１の内面２１ａに凹部２１ｂを設けて隙間Ｓ２１ｂを空けているので、主軸１６の外周領域１６ｂの＋Ｚ方向側１６ｂ−１は内面２１ａに当接しない。したがって、主軸１６の外周領域１６ｂの＋Ｚ方向側１６ｂ−１には傷がつかない。同様に、第１の副軸保持穴２５の内面２５ａに凹部２５ｂを設けて隙間Ｓ２５ｂを空けているので、副軸１７の外周領域１７ｂの＋Ｚ方向側１７ｂ−１は内面２５ａに当接しない。したがって、副軸１７の外周領域１７ｂの＋Ｚ方向側１７ｂ−１には傷がつかない。
【００６０】
また、上記では、光ディスク装置１を横置きされているものとしたが、縦置き（−Ｘ方向を上側として載置）されることもあり得る。この場合、光ピックアップユニット１４には、＋Ｘ方向に重力が働くので、主軸１６の外周領域１６ｂの＋Ｘ方向側１６ｂ−２及び副軸１７の外周領域１７ｂの＋Ｘ方向側１７ｂ−２が傷つく恐れがある。
【００６１】
本発明の実施形態においては、第１の主軸保持穴２１の内面２１ａに凹部２１ｃを設けて隙間Ｓ２１ｃを空けているので、主軸１６の外周領域１６ｂの＋Ｘ方向側１６ｂ−２は内面２１ａに当接しない。したがって、主軸１６の外周領域１６ｂの＋Ｘ方向側１６ｂ−２には傷がつかない。同様に、第１の副軸保持穴２５の内面２５ａに凹部２５ｃを設けて隙間Ｓ２５ｃを空けているので、副軸１７の外周領域１７ｂの＋Ｘ方向側１７ｂ−２は内面２５ａに当接しない。したがって、副軸１７の外周領域１７ｂの＋Ｘ方向側１７ｂ−２には傷がつかない。
【００６２】
なお、第１の主軸保持穴２１の内面２１ａに形成する凹部は、主軸１６の、光ピックアップユニット１４を摺動可能に支持する側の外周領域１６ｂとの間に隙間が形成されるように設けられればよい。同様に、第１の副軸保持穴２５の内面２５ａに形成する凹部は、副軸１７の、光ピックアップユニット１４を摺動可能に支持する側の外周領域１７ｂとの間に隙間が形成されるように設けられればよい。例えば、ディスク装置１が横置きに限定されるような場合には、凹部２１ｂ、２５ｂのみを設ければよい。また、ディスク装置１が縦置きに限定されるような場合には、凹部２１ｃ，２５ｂのみを設ければよい。
【００６３】
また、ディスク装置１が−Ｘ方向にも＋Ｚ方向にも載置される可能性がある場合には、図９Ｅに示すように、第１の主軸保持穴２１の内面２１ａに、主軸１６の外周領域１６ｂの−Ｚ方向側１６ｂ−３と対向する凹部２１ｄと、主軸１６の外周領域１６ｂの−Ｘ方向側１６ｂ−４と対向する凹部２１ｅとをさらに形成して、隙間Ｓ２１ｄ，Ｓ２１ｅを設けてもよい。なお、この場合、第１の主軸保持穴２１の内面２１ａが主軸１６を保持する保持領域２１ｆと、第２の主軸保持穴２３の内面２３ａが主軸１６を保持する保持領域２３ｂとは、主軸１６にかかる応力を分散させるために、主軸１６の軸まわりに位相が異なっていることが好ましい。例えば、図９Ｅ及び図９Ｊに示されるように、保持領域２１ｆと保持領域２３ｂとは位相が４５度程度異なっていることが好ましい。
【００６４】
また、第１の主軸保持穴２１の内面２１ａに形成する凹部の、第１の主軸保持穴２１の中心に対する開き角度が狭いと、主軸１６の外周領域１６ｂの＋Ｚ方向側１６ｂ−１の傷がつく領域が大きくなってしまう。このため、第１の主軸保持穴２１の内面２１ａに形成する凹部の、第１の主軸保持穴２１の中心に対する開き角度を所定の角度以上確保することが好ましい。
【００６５】
例えば、主軸１６の直径を３ｍｍ、第１の主軸保持穴２１の直径を２．９９２ｍｍと設定した場合、第１の主軸保持穴２１の主軸１６の圧入代は０．００４ｍｍ、つまり４μｍとなる。したがって、この場合、主軸１６を第１の主軸保持穴２１に圧入することにより生じる主軸１６表面の傷の高さは最大で４μｍとなる。一方、移動ベース１４ｂのガイド穴１４ｃの直径を主軸１６の直径よりもやや大きく３．０４ｍｍと設定した場合、主軸１６とガイド穴１４ｃとの隙間は、図９Ｈに示すように、第１の主軸保持穴２１の内面２１ａに形成する凹部の、主軸１６の中心に対する開き角度８３．３度に対応する位置で０．００５ｍｍ、つまり５μｍとなる。したがって、前記開き角度が８３．３度以上であれば、主軸１６表面の傷の高さよりも主軸１６とガイド穴１４ｃとの隙間の方が大きくなるので、主軸１６表面に傷があっても、その傷がガイド穴１４ｃに接触することはない。よって、光ピックアップユニット１４が半径方向５０へ移動しても移動負荷が変化して、光ディスクの読み取りに失敗したり、異音が発生したりすることがない。
【００６６】
また、第１の主軸保持穴２１の内面２１ａに形成する凹部の、第１の主軸保持穴２１の中心に対する開き角度が大きすぎると、主軸１６が第１の主軸保持穴２１の内面２１ａで十分に圧入保持されなくなるので、図９Ｆに示すように、前記開き角度を１１１．６度以下にすることが好ましい。なお、主軸１６、第１の主軸保持穴２１及びガイド穴１４ｃの直径を前記と同様に設定するとともに前記開き角度を１１１．６度に設定した場合、主軸１６とガイド穴１４ｃとの隙間は、図９Ｉに示すように、０．００８６ｍｍ、つまり８．６μｍとなる。つまり、主軸１６とガイド穴１４ｃとの隙間の方が主軸１６表面の傷の高さ（４μｍ）よりも大きくなるので、主軸１６表面に傷があっても、その傷がガイド穴１４ｃに接触することはない。
【００６７】
したがって、第１の主軸保持穴２１の内面２１ａに形成する凹部の、第１の主軸保持穴２１の中心に対する開き角度は、上述したように、８３．３度〜１１１．６度の範囲内で形成されることが好ましい。
なお、第１の副軸保持穴２５の内面２５ａに形成する凹部についても、第１の副軸保持穴２５の内面２５ａに形成する凹部と同様であるので、説明は省略する。
【００６８】
本発明の実施形態によれば、副軸１６の両端部を内面で保持する第１及び第２の副軸保持穴２３，２７を有するともに、保持位置Ａ１に位置する副軸１７の一端部と係止位置Ｂ１で係止可能な係止部２６ａと、副軸１７の他端部で押圧力が付与されることにより、係止部２６ａを係止位置Ｂ１から退避位置Ｂ２に移動させる傾斜部２６ｂとを備えて、副軸１７が保持位置Ａ１で保持された状態のときには、自身の弾性力で係止部２６ａを退避位置Ｂ２から係止位置Ｂ１に復帰させる主軸抜け止め爪部２６−２及び副軸抜け止め爪部２６−１を有しているので、光ピックアップユニット１４を案内する副軸１７をトラバースシャーシ１０にガタつきなく固定できる。同様にして、主軸１６をトラバースシャーシ１０にガタつきなく固定できる。また、副軸１７は、副軸抜け止め爪部２６−１を介して規制ビス２９に固定されるので、規制ビス２９がネジ穴１０ｅにねじ込まれるときに、その力を受けて軸まわりに回転することもない。同様に、主軸１６も軸まわりに回転することはない。
【００６９】
以上、本発明の実施形態について説明してきたが、本発明は上記各実施形態に限定されるものではなく、様々な変形が可能である。
例えば、上記実施形態では、フランジ部２９ａを有する規制ビス２９をネジ穴１０ｅにねじ込む（螺着）ことで係止部２６ａの退避位置への移動を規制したが、これには限られない。係止部２６ａの退避位置への移動を規制できる部材であればよく、螺着ではなく、圧入や接着によっても同様な効果が得られる。
また、上記実施形態では、圧入により主軸１６、副軸１７を係止保持するように構成したが、圧入でなくとも、主軸抜け止め爪部２６−２及び副軸抜け止め爪部２６−１等により、主軸１６及び副軸１７をトラバースシャーシ１０にガタつきなく固定することが可能である。
【産業上の利用可能性】
【００７０】
本発明のディスク装置は、ＣＤ／ＤＶＤプレーヤ等のスロットインローディングの光ディスク装置等として有用であり、更なる薄型化及び低コスト化が求められる光ディスク装置やポータブル系の光ディスク装置に適している。
【符号の説明】
【００７１】
１    ディスク装置
２    光ディスク
３ａ  前面パネル
３ｂ  蓋ケース
３ｃ  底ケース
３ｄ  ディスク挿入穴
４    メカニズム本体
５    配線基板
６    支持基板
７    蓋体
８    ローディング部
９    トラバースベース部
１０    トラバースシャーシ
１０ａ  リブ
１０ｂ、１０ｃ  挿入穴
１０ｄ、１０ｅ  ネジ穴
１０ｆ  貫通穴
１０ｇ  底面
１１    スピンドルモータ
１２    チルトネジ
１３    調整ビス
１４    光ピックアップユニット
１４ａ  光ピックアップ
１４ｂ  移動ベース
１４ｃ  ガイド穴
１４ｄ  ガイド溝
１５    ナット部
１６    主軸
１７    副軸
１８    ステッピングモータ
１８ａ  リードスクリュー
１８ｂ  スクリュー保持体
１８ｃ  連結部材
１８ｄ  ネジ穴
１９    止めビス
２１    第１の主軸保持穴
２３    第２の主軸保持穴
２４    主軸規制部
２５    第１の副軸保持穴
２６−１  第２の副軸抜け止め爪部
２６−２  第１の主軸抜け止め爪部
２６ａ  係止部
２６ｂ  傾斜部
２６ｃ  突出部
２７    第２の副軸保持穴
２８    副軸規制部
２９    規制ビス
２９ａ  フランジ部
３０    ターンテーブル
３１    係止保持部
３２    第１の主軸保持体
３３    第２の主軸保持体
３４    第１の副軸保持体
３５    第２の副軸保持体
【図１】
2011170970.tif 000003
【図２】
2011170970.tif 000004
【図３】
2011170970.tif 000005
【図４】
2011170970.tif 000006
【図５】
2011170970.tif 000007
【図６Ａ】
2011170970.tif 000008
【図６Ｂ】
2011170970.tif 000009
【図７Ａ】
2011170970.tif 000010
【図７Ｂ】
2011170970.tif 000011
【図７Ｃ】
2011170970.tif 000012
【図８Ａ】
2011170970.tif 000013
【図８Ｂ】
2011170970.tif 000014
【図８Ｃ】
2011170970.tif 000015
【図９Ａ】
2011170970.tif 000016
【図９Ｂ】
2011170970.tif 000017
【図９Ｃ】
2011170970.tif 000018
【図９Ｄ】
2011170970.tif 000019
【図９Ｅ】
2011170970.tif 000020
【図９Ｆ】
2011170970.tif 000021
【図９Ｇ】
2011170970.tif 000022
【図９Ｈ】
2011170970.tif 000023
【図９Ｉ】
2011170970.tif 000024
【図９Ｊ】
2011170970.tif 000025
【図９Ｋ】
2011170970.tif 000026
【図９Ｌ】
2011170970.tif 000027
【図９Ｍ】
2011170970.tif 000028
【図１０】
2011170970.tif 000029
【図１１Ａ】
2011170970.tif 000030
【図１１Ｂ】
2011170970.tif 000031
【図１２Ａ】
2011170970.tif 000032
【図１２Ｂ】
2011170970.tif 000033
【図１２Ｃ】
2011170970.tif 000034